(57)【要約】【課題】分割タイプのフェライトコアを合体状態に保持する手段を備えたケースを、安価に製造する。【解決手段】ノイズフィルタＦａは、周方向に分割された第１及び第２のコア構成体１１Ａ，１１Ｂを合体させた形態の筒形をなすフェライトコア１０と、フェライトコア１０を収容する合成樹脂製のケース２０とを備え、ケース２０は、第１コア構成体１１Ａの外周面を当接させる受け部２１と、受け部２１の周方向における端縁部から片持ち状に延出し、第２コア構成体１１Ｂの外周を受け部２１側へ弾性的に押圧する弾性押圧片２２とを備えて構成されている。【選択図】図１
2015220355.tif 000002
【特許請求の範囲】
【請求項１】
周方向に分割された第１及び第２のコア構成体を合体させた形態の筒形をなすフェライトコアと、
前記フェライトコアを収容する合成樹脂製のケースとを備え、
前記ケースは、
前記第１コア構成体の外周面を当接させる受け部と、
前記受け部の周方向における端縁部から片持ち状に延出し、前記第２コア構成体の外周を前記受け部側へ弾性的に押圧する弾性押圧片とを備えて構成されていることを特徴とするノイズフィルタ。
【請求項２】
前記受け部の軸線方向における端部に、前記受け部に収容された前記第１コア構成体が軸線方向に位置ずれすることを規制可能なストッパが形成されていることを特徴とする請求項１記載のノイズフィルタ。
【請求項３】
前記弾性押圧片の軸線方向における端部に、前記弾性押圧片に押圧されている前記第２コア構成体が軸線方向に位置ずれすることを規制可能な規制部が形成されていることを特徴とする請求項１又は請求項２記載のノイズフィルタ。
【請求項４】
前記ケースのうち周方向における一部の領域に外嵌されるホルダを有し、
前記ホルダは、
前記弾性押圧片の外周に当接可能な高剛性部と、
前記高剛性部の周方向における端縁部から片持ち状に延出し、前記受け部の外周に対し弾性的に当接する低剛性部とを備えて構成されていることを特徴とする請求項１記載のノイズフィルタ。
【請求項５】
前記受け部と前記弾性押圧片の軸線方向における一方の端部には、前記ケースに収容された前記第１コア構成体と前記第２コア構成体が軸線方向に位置ずれすることを規制可能なケース側ストッパが形成され、
前記高剛性部と前記低剛性部の軸線方向における他方の端部には、前記ケースに収容された前記第１コア構成体と前記第２コア構成体が軸線方向において前記ケース側ストッパとは反対側へ位置ずれすることを規制可能なホルダ側ストッパが形成されていることを特徴とする請求項４記載のノイズフィルタ。
【発明の詳細な説明】
【技術分野】
【０００１】
本発明は、ノイズフィルタに関するものである。
【背景技術】
【０００２】
特許文献１には、導電路を包囲するフェライトコアをケース内に収容したノイズフィルタが開示されている。フェライトコアは、半円筒形をなす一対のコア構成体を合体させて構成されている。ケースは、合成樹脂製であり、ヒンジで連結された一対のケース構成体を合体させて構成されている。ケース構成体には、その一部をフェライトコアの外周面に向かって突出させた形態の弾性押圧片が形成されており、ケース構成体を合体させると、弾性押圧片がコア構成体の外周面を中心側へ弾性的に押圧するようになっている。この弾性押圧片の押圧作用によって一対のコア構成体が密着状態に保持され、ノイズ除去機能の信頼性が高められている。
【先行技術文献】
【特許文献】
【０００３】
【特許文献１】特開２０１３−１１０１７０号公報
【発明の概要】
【発明が解決しようとする課題】
【０００４】
ケースのうち弾性押圧片が形成されている領域においては、弾性押圧片が弾性変形することを許容するため、ケースと弾性押圧片との間にスリットが形成されている。このスリットはケースを部分的に除去した形態であるため、ケースを成形するための金型の構造が複雑になる。これは、ケースの製造コストが高くなることを意味するため、改善が望まれる。
【０００５】
本発明は上記のような事情に基づいて完成されたものであって、分割タイプのフェライトコアを合体状態に保持する手段を備えたケースを、安価に製造することを目的とする。
【課題を解決するための手段】
【０００６】
本発明のノイズフィルタは、
周方向に分割された第１及び第２のコア構成体を合体させた形態の筒形をなすフェライトコアと、
前記フェライトコアを収容する合成樹脂製のケースとを備え、
前記ケースは、
前記第１コア構成体の外周面を当接させる受け部と、
前記受け部の周方向における端縁部から片持ち状に延出し、前記第２コア構成体の外周を前記受け部側へ弾性的に押圧する弾性押圧片とを備えて構成されているところに特徴を有する。
【発明の効果】
【０００７】
第１コア構成体と第２コア構成体を合体状態に保持する手段である弾性押圧片は、受け部の周方向における端縁部から片持ち状に延出した形態であるから、ケースには、部分的に除去した形態のスリットを形成する必要がない。したがって、ケースを成形するための金型の構造を簡素化して、ケースの製造コスト低減を実現することができる。
【図面の簡単な説明】
【０００８】
【図１】実施例１のノイズフィルタを導電路に取り付けた状態をあらわす正面図
【図２】ノイズフィルタを導電路に取り付けた状態をあらわす一部切欠右側面図
【図３】図２のＸ−Ｘ線断面図
【図４】ケース単体の正面図
【図５】実施例２のノイズフィルタを導電路に取り付けた状態を軸線と直角に切断してあらわした断面図
【図６】ケース単体の正面図
【図７】ケース単体の右側面図
【図８】ホルダの正面図
【図９】ホルダの左側面図
【発明を実施するための形態】
【０００９】
（１）本発明のノイズフィルタは、前記受け部の軸線方向における端部に、前記受け部に収容された前記第１コア構成体が軸線方向に位置ずれすることを規制可能なストッパが形成されていてもよい。
この構成によれば、第１コア構成体が軸線方向に移動して受け部から離脱することを防止できる。
【００１０】
（２）本発明のノイズフィルタは、前記弾性押圧片の軸線方向における端部に、前記弾性押圧片に押圧されている前記第２コア構成体が軸線方向に位置ずれすることを規制可能な規制部が形成されていてもよい。
この構成によれば、第２コア構成体が軸線方向に移動して弾性押圧片から離脱することを防止できる。
【００１１】
（３）本発明のノイズフィルタは、前記ケースのうち周方向における一部の領域に外嵌されるホルダを有し、前記ホルダは、前記弾性押圧片の外周に当接可能な高剛性部と、前記高剛性部の周方向における端縁部から片持ち状に延出し、前記受け部の外周に対し弾性的に当接する低剛性部とを備えて構成されていてもよい。
この構成によれば、弾性押圧片が径方向外方へ拡開変形することを規制できるので、第１コア構成体と第２コア構成体を確実に密着状態に保持することができる。
【００１２】
（４）本発明のノイズフィルタは、（３）において、前記受け部と前記弾性押圧片の軸線方向における一方の端部には、前記ケースに収容された前記第１コア構成体と前記第２コア構成体が軸線方向に位置ずれすることを規制可能なケース側ストッパが形成され、前記高剛性部と前記低剛性部の軸線方向における他方の端部には、前記ケースに収容された前記第１コア構成体と前記第２コア構成体が軸線方向において前記ケース側ストッパとは反対側へ位置ずれすることを規制可能なホルダ側ストッパが形成されていてもよい。
この構成によれば、ケースにコア構成体を収容する際の作業が容易となる。そして、ケースとホルダを組み付けた状態では、ケース内のフェライトコアを、ケース側ストッパとホルダ側ストッパとの間で挟むことにより収容状態に保持することができる。
【００１３】
＜実施例１＞
以下、本発明を具体化した実施例１を図１〜図４を参照して説明する。本実施例１において、前後の方向については、図２における左方を前方と定義する。また、左右方向及び上下方向については、図１，３，４にあらわれる向きを、そのまま右方、左方、上方、下方と定義する。
【００１４】
本実施例１のノイズフィルタＦａは、図１，３に示すように、ワイヤーハーネスや各種電線等の導電路３０に対し包囲するように取り付けられ、その導電路３０のノイズを除去するものである。ノイズフィルタＦａは、フェライトコア１０と、ケース２０とを備えて構成されている。フェライトコア１０は、半円筒形をなす左右対称な一対の第１及び第２コア構成体１１Ａ，１１Ｂを、円筒形に合体させて構成されている。フェライトコア１０の内径は、導電路３０の外径よりも少し大きい寸法に設定されている。フェライトコア１０によるノイズ除去機能を十分に発揮させるためには、コア構成体１１Ａ，１１Ｂの周方向に対向する対向面１２Ａ，１２Ｂ同士を互いに密着させることが好ましい。後述するケース２０には、コア構成体１１Ａ，１１Ｂ同士を密着させるための手段が設けられている。
【００１５】
ケース２０は、合成樹脂製からなり、上下対称な形状の単一部品である。図４に示すように、ケース２０は、ケース２０の左半分領域に配された半円筒形の受け部２１と、受け部２１よりも肉薄の上下対称な一対の弾性押圧片２２とを備えて構成されている。前後方向（軸線方向）における弾性押圧片２２の形成領域は、受け部２１の形成領域と同じ範囲である。周方向における受け部２１の形成領域は、半周（つまり、１８０°）に亘る範囲である。受け部２１の内周面の曲率半径は、フェライトコア１０（コア構成体１１Ａ，１１Ｂ）の外周面の曲率半径とほぼ同じ寸法である。受け部２１には、第１コア構成体１１Ａがその外周面を受け部２１の内周面に密着させた状態で取り付けられるようになっている。
【００１６】
一対の弾性押圧片２２は、受け部２１の周方向における両端縁部から周方向に沿って斜め右方へ片持ち状に延出した形態である。周方向における１つの弾性押圧片２２の形成領域は、１／４周（９０°）よりも小さい範囲である。したがって、上下両弾性押圧片２２の延出端縁部２３同士の間には、前後方向に沿って延びるとともに、ケース２０の前後両端に開放された周面開口部２４が形成されている。
【００１７】
弾性押圧片２２の周方向における基端縁部の内周面と、受け部２１の周方向における両端縁部の内周面とは、滑らかに連続するように（つまり、曲率が大きく変化したり、段差が生じないように形態で）連なっている。フェライトコア１０をケース２０に取り付ける前の状態において、弾性押圧片２２の内周面の曲率半径は、コア構成体１１Ａ，１１Ｂの外周面の曲率半径よりも少し小さい寸法に設定されている。また、受け部２１の円弧の中心から、弾性押圧片２２の延出端縁部２３の内周面までの径方向の寸法は、受け部２１の内周面（コア構成体１１Ａ，１１Ｂの外周面）の曲率半径より小さい寸法に設定されている。
【００１８】
受け部２１は、その厚さ寸法が比較的大きく設定されているため、曲率を変化させるような変形を殆ど生じない。これに対し、弾性押圧片２２は、その厚さ寸法が受け部２１よりも小さく設定されているので、その基端縁部を略支点として径方向へ変位するように（つまり、拡径するように）弾性撓みし得るようになっている。弾性押圧片２２の弾性撓みに伴い、弾性押圧片２２の延出端縁部２３が径方向外方へ変位し、弾性押圧片２２には、その延出端縁部２３を受け部２１（ケース２０）の中心側へ変位させるような研磨材方向内向きの付勢力が蓄勢されるようになっている。
【００１９】
受け部２１の前端部（軸線方向における一方の端部）には、ストッパ２５が形成されている。ストッパ２５は、受け部２１の内周から内側（ケース２０の中心側）へ板状に延出した形態である。周方向におけるストッパ２５の形成領域は、受け部２１の形成領域と同じ範囲である。ストッパ２５の内周縁２６（延出端縁）の正面視形状は、受け部２１と同心の半円形である。ストッパ２５の内周縁２６の曲率半径は、導電路３０の外周面の曲率半径と同じか、それよりも少し小さい寸法に設定されている。
【００２０】
ストッパ２５の後面から受け部２１の後端までの長さは、フェライトコア１０（コア構成体１１Ａ，１１Ｂ）の軸線方向の長さと同じか、それよりも僅かに小さい寸法に設定されている。ケース２０の前面のうちストッパ２５で覆われていない略半円形の領域は、ケース２０の内外を連通させる略半円形の前面開口部２７Ｆとなっている。ケース２０の後面は、その全領域に亘って開口され、ケース２０の内外を連通させる略円形の後面開口部２７Ｒとなっている。ケース２０は、前後方向に型開きされる金型（図示省略）によって成形することができるので、スライド型は不要である。
【００２１】
弾性押圧片２２の延出端縁部２３には、その前端縁（前後方向においてストッパ２５と同じ側の端縁）から径方向内向きに突出した形態の規制部２８が形成されている。規制部２８の後面とストッパ２５の後面は、前後方向において同じ位置に配されている。つまり、規制部２８の後面から受け部の後端までの長さは、ストッパ２５と同様、フェライトコア１０（コア構成体１１Ａ，１１Ｂ）の前後方向の寸法と同じか、それよりも僅かに小さい寸法に設定されている。
【００２２】
次に、本実施例１のノイズフィルタＦａを導電路３０に取り付ける作業工程を説明する。まず、周面開口部２４からケース２０内に導電路３０を収容し、その後、受け部２１とストッパ２５とによって構成された収容空間２９内に第１コア構成体１１Ａを収容する。このとき、後面開口部２７Ｒから第１コア構成体１１Ａを差し入れることにより、作業を簡単に行うことができる。尚、第１コア構成体１１Ａは、導電路３０をケース２０内に収容する前に、予め、ケース２０（収容空間２９）内にセットしておいてもよい。
【００２３】
この後、後面開口部２７Ｒから第２コア構成体１１Ｂをケース２０内に取り付ける。このとき、上下両弾性押圧片２２を斜め右方へ拡径変形させることにより、第２コア構成体１１Ｂと弾性撓み２２との干渉を回避することができる。第２コア構成体１１Ｂは、ケース２０内のうち第１コア構成体１１Ａよりも右方の空き空間に収容される。ケース２０内に収容された第２コア構成体１１Ｂは、その前端面における外周縁に規制部２８が係止することにより、第１コア構成体１１Ａと同様、ケース２０に対する前方への相対変位を規制される。
【００２４】
また、第２コア構成体１１Ｂがケース２０に取り付けられると、弾性押圧片２２が、第２コア構成体１１Ｂの外周面に対し、左方（第１コア構成体１１Ａ側）へ弾性的に押圧する。この弾性押圧片２２の弾性押圧作用により、両コア構成体１１Ａ，１１Ｂが受け部２１と弾性押圧片２２との間で左右方向（両コア構成体１１Ａ，１１Ｂを合体させる方向と平行な方向）に挟み付けられ、両コア構成体１１Ａ，１１Ｂの対向面１２Ａ，１２Ｂ同士が密着する。また、弾性押圧部２２の弾力に起因する摩擦により、両コア構成体１１Ａ，１１Ｂはケース２０内に保持される。
【００２５】
以上により、コア構成体１１Ａ，１１Ｂが合体してフェライトコア１０が構成されると同時に、ケース２０に対するフェライトコア１０の取付け（ノイズフィルタＦａの組付け）が完了し、併せて、導電路３０へのノイズフィルタＦａの仮組み作業も完了する。この後は、粘着性を有するテープ３１をケース２０の外周に巻き付けることにより、弾性押圧片２２の拡径変形を防止する。また、図示は省略するが、ケース２０の前後両端部から導電路３０に亘ってテープ３１を巻き付ける。以上により、導電路３０に対するフェライトコア１０の取付け作業が完了する。
【００２６】
本実施例１のノイズフィルタＦａは、周方向に分割された第１及び第２のコア構成体１１Ａ，１１Ｂを合体して構成される筒形のフェライトコア１０と、フェライトコア１０を合体状態に保持する手段を備えた合成樹脂製のケース２０とを備えたものであり、ケース２０を安価に製造することを課題としている。そして、その課題解決手段として、ケース２０は、第１コア構成体１１Ａの外周面を当接させる受け部２１と、受け部２１の周方向における端縁部から片持ち状に延出し、第２コア構成体１１Ｂの外周を受け部２１側へ弾性的に押圧する弾性押圧片２２とを備えている。
【００２７】
弾性押圧片２２は、第１コア構成体１１Ａと第２コア構成体１１Ｂを合体状態に保持する手段として機能するのであるが、この弾性押圧片２２は、受け部２１の周方向における端縁部から片持ち状に延出した形態である。したがって、ケース２０には、部分的に除去した形態のスリットを形成する必要がなく、ケース２０を成形するための金型（図示省略）の構造を簡素化して、ケース２０の製造コスト低減を実現することができる。
【００２８】
また、受け部２１の前端部には、受け部２１に収容された第１コア構成体１１Ａが軸線方向に位置ずれすることを規制可能なストッパ２５が形成されているので、第１コア構成体１１Ａが軸線方向に移動して受け部２１から離脱することを防止できる。さらに、弾性押圧片２２の前端部には、弾性押圧片２２に押圧されている第２コア構成体１１Ｂが軸線方向に位置ずれすることを規制可能な規制部２８が形成されているので、第２コア構成体１１Ｂが軸線方向に移動して弾性押圧片２２から離脱することも防止できる。
【００２９】
＜実施例２＞
次に、本発明を具体化した実施例２を図５〜図９を参照して説明する。本実施例２において、前後の方向については、図７における左方を前方、図９における右方を前方と定義する。また、左右方向及び上下方向については、図５，６，８にあらわれる向きを、そのまま右方、左方、上方、下方と定義する。
【００３０】
本実施例２のノイズフィルタＦｂは、ワイヤーハーネスや各種電線等の導電路７０に対し包囲するように取り付けられ、その導電路７０のノイズを除去するものである。ノイズフィルタＦｂは、フェライトコア４０と、ケース５０と、ホルダ６０とを備えて構成されている。フェライトコア４０は、半円筒形をなす左右対称な一対の第１及び第２コア構成体４１Ａ，４１Ｂを、円筒形に合体させて構成されている。フェライトコア４０の内径は、導電路７０の外径よりも少し大きい寸法に設定されている。フェライトコア４０によるノイズ除去機能を十分に発揮させるためには、コア構成体４１Ａ，４１Ｂの周方向における対向面４２Ａ，４２Ｂ同士を互いに密着させることが好ましい。後述するケース５０には、コア構成体４１Ａ，４１Ｂ同士を密着さるための手段が設けられている。
【００３１】
ケース５０は、合成樹脂製からなり、上下対称な形状の単一部品である。図６，７に示すように、ケース５０は、ケース５０の左半分領域に配された半円筒形の受け部５１と、受け部５１よりも肉薄の上下対称な一対の弾性押圧片５３とを備えて構成されている。前後方向（軸線方向）における弾性押圧片５３の形成領域は、受け部５１の形成領域と同じ範囲である。周方向における受け部５１の形成領域は、半周（つまり、１８０°）に亘る範囲である。受け部５１の内周面の曲率半径は、フェライトコア４０（コア構成体４１Ａ，４１Ｂ）の外周面の曲率半径とほぼ同じ寸法である。受け部５１の内周面には第１コア構成体４１Ａがその外周面を密着させた状態で取り付けられるようになっている。受け部５１の外周には、上下方向における略中央部を外周側（左方）へ弧状に膨出させた形態の回転抑制部５２が形成されている。
【００３２】
一対の弾性押圧片５３は、受け部５１の周方向における両端縁部から周方向に沿って斜め右方へ片持ち状に延出した形態である。周方向における１つの弾性押圧片５３の形成領域は、１／４周（９０°）よりも小さい範囲である。したがって、上下両弾性押圧片５３の延出端縁部５４同士の間には、前後方向に沿って延びるとともに、ケース５０の前後両端に開放された右周面開口部５５が形成されている。
【００３３】
弾性押圧片５３の周方向における基端縁部の内周面と、受け部５１の周方向における両端縁部の内周面とは、滑らかに連続するように（つまり、曲率が大きく変化したり、段差が生じないように形態で）連なっている。フェライトコア４０をケース５０に取り付ける前の状態において、弾性押圧片５３の内周面の曲率半径は、コア構成体４１Ａ，４１Ｂの外周面の曲率半径よりも少し小さい寸法に設定されている。そして、受け部５１の円弧の中心から、弾性押圧片５３の延出端縁部５４の内周面までの径方向の寸法は、受け部５１の内周面（コア構成体４１Ａ，４１Ｂの外周面）の曲率半径より小さい寸法に設定されている。また、弾性押圧片５３の外周面の曲率半径は、受け部５１の外周面の曲率半径よりも小さい寸法となっている。そして、ケース５０の外周面のうち受け部５１と弾性押圧片５３との境界部分は、段差状をなしている。
【００３４】
受け部５１は、その厚さ寸法が比較的大きく設定されているため、曲率を変化させるような変形を殆ど生じない。これに対し、弾性押圧片５３は、その厚さ寸法が受け部５１よりも小さく設定されているので、その基端縁部を略支点として径方向へ変位するように（つまり、拡径するように）弾性撓みし得るようになっている。弾性押圧片５３の弾性撓みに伴い、弾性押圧片５３の延出端縁部５４が径方向へ変位し、弾性押圧片５３には、その延出端縁部５４を受け部５１（ケース５０）の中心側へ変位させるような径方向内向きの付勢力が蓄勢されるようになっている。
【００３５】
ケース５０の前端部（軸線方向における一方の端部）には、ケース側ストッパ５６が形成されている。周方向におけるケース側ストッパ５６の形成範囲は、受け部５１の内周の全領域と上下両弾性押圧片５３の基端部に亘る範囲（つまり、１つのコア構成体４１Ａ，４１Ｂの存在領域である１８０°よりも広い範囲）である。ストッパ側ストッパは、受け部５１及び弾性押圧片５３から内側（ケース５０の中心側）へ板状に延出した形態である。ケース側ストッパ５６の内周縁５７（延出端縁）の正面視形状は、受け部５１と同心の半円形である。ケース側ストッパ５６の内周縁５７の曲率半径は、導電路７０の外周面の曲率半径と同じか、それよりも少し小さい寸法に設定されている。ケース側ストッパ５６の後面から受け部５１の後端までの寸法は、フェライトコア４０（コア構成体４１Ａ，４１Ｂ）の軸線方向の長さと寸法と同じか、それよりも僅かに大きい寸法に設定されている。ケース５０の後端面（ケース側ストッパ５６が形成されていない側の端面）は、全領域に亘って開放された後面開口部５８となっている。
【００３６】
ホルダ６０は、合成樹脂製からなり、上下対称な形状の単一部品である。図８，９に示すように、ホルダ６０は、ケース５０の右半分領域に配された半円筒形の高剛性部６１と、上下対称な一対の低剛性部６２とを備えて構成されている。前後方向（軸線方向）における低剛性部６２の形成領域は、高剛性部６１の形成領域と同じ範囲である。周方向における高剛性部６１の形成領域は、半周（つまり、１８０°）に亘る範囲であり、ケース５０の上下両弾性押圧片５３及び右周面開口部５５と対応する領域である。高剛性部６１の内周面の曲率半径は、フェライトコア４０（コア構成体４１Ａ，４１Ｂ）の外周面の曲率半径よりも大きい寸法（ホルダ６０とケース５０を組み付けたときにフェライトコア４０に接触しない寸法）に設定されている。
【００３７】
一対の低剛性部６２は、高剛性部６１の周方向における両端縁部から周方向に沿って斜め左方へ片持ち状に延出した形態である。周方向における１つの低剛性部６２の形成領域は、１／４周（９０°）よりも小さい範囲であり、ケース５０の受け部５１のうち回転抑制部５２が形成されていない領域（回転抑制部５２の上方及び下方の領域）と対応する範囲である。上下両低剛性部６２の延出端縁部同士の間には、前後方向に沿って延びるとともに、ケース５０の前後両端に開放された左周面開口部６３が形成されている。この左周面開口部６３は、周方向において、ケース５０の回転抑制部５２と対応する。
【００３８】
低剛性部６２の周方向における基端縁部の内周面と、高剛性部６１の周方向における両端縁部の内周面とは、段差状をなすように連なっている。これは、高剛性部６１が弾性押圧片５３の外周面と対向するように配され、低剛性部６２が、弾性押圧片５３の外周面よりも曲率半径の大きい受け部５１の外周面と対向するように配されるからである。つまり、低剛性部６２の内周面の曲率半径は、高剛性部６１の内周面の曲率半径よりも大きく設定されている。ホルダ６０をケース５０に取り付ける前の状態において、低剛性部６２の内周面の曲率半径は、受け部５１の外周面の曲率半径よりも少し小さい寸法に設定されている。そして、高剛性部６１の円弧の中心から、低剛性部６２の延出端部の内周面までの径方向の寸法は、高剛性部６１の内周面の曲率半径より小さい寸法に設定されている。
【００３９】
高剛性部６１は、その厚さ寸法が比較的大きく設定されているため、曲率を変化させるような変形を殆ど生じない。これに対し、低剛性部６２は、その厚さ寸法が高剛性部６１よりも小さく設定されているので、その基端縁部を略支点として径方向へ変位するように（つまり、拡径するように）弾性撓みし得るようになっている。低剛性部６２の弾性撓みに伴い、低剛性部６２の延出端縁部が径方向外方へ変位し、低剛性部６２には、その延出端縁部を高剛性部６１（ホルダ６０）の中心側へ変位させるような付勢力が蓄勢されるようになっている。
【００４０】
ホルダ６０の後端部（軸線方向における一方の端部）には、ホルダ側ストッパ６４が形成されている。周方向におけるホルダ側ストッパ６４の形成範囲は、高剛性部６１の内周の全領域と上下両低剛性部６２の基端部に亘る範囲（つまり、１つのコア構成体４１Ａ，４１Ｂの存在領域である１８０°よりも広い範囲）である。ホルダ側ストッパ６４は、高剛性部６１及び低剛性部６２から内側（ホルダ６０の中心側）へ板状に延出した形態である。ホルダ側ストッパ６４の内周縁６５（延出端縁）の正面視形状は、高剛性部６１と同心の半円形である。ホルダ側ストッパ６４の内周縁６５の曲率半径は、ケース側ストッパ５６の内周縁の曲率半径と同じ寸法、即ち、導電路７０の外周面の曲率半径と同じか、それよりも少し小さい寸法に設定されている。ホルダ側ストッパ６４の前面から高剛性部６１の前端までの寸法は、フェライトコア４０（コア構成体４１Ａ，４１Ｂ）の軸線方向の長さと寸法と同じか、それよりも僅かに大きい寸法に設定されている。ホルダ６０の前端面（ホルダ側ストッパ６４が形成されていない側の端面）は、全領域に亘って開放された前面開口部６６となっている。
【００４１】
次に、本実施例２のノイズフィルタＦｂを導電路７０に取り付ける作業工程を説明する。まず、右周面開口部５５からケース５０内に導電路７０を収容し、その後、受け部５１とケース側ストッパ５６とによって構成された収容空間５９内に第１コア構成体４１Ａを収容する。このとき、第１コア構成体４１Ａは、後面開口部５８からケース５０内に差し込むようにすれば、受け部５１や弾性押圧片５３と干渉させずに済む。尚、第１コア構成体４１Ａは、導電路７０をケース５０内に収容する前に、予め、ケース５０（収容空間５９）内にセットしておいてもよい。ケース５０内に収容した第１コア構成体４１Ａは、ケース側ストッパ５６に当接することにより、前方への相対移動を規制される。
【００４２】
この後、後面開口部５８から第２コア構成体４１Ｂをケース５０内に取り付ける。このとき、上下両弾性押圧片５３を斜め右方へ拡径変形させることにより、第２コア構成体４１Ｂと弾性押圧片５３との干渉を回避することができる。第２コア構成体４１Ｂは、ケース５０内のうち第１コア構成体４１Ａよりも右方の空き空間に収容される。ケース５０内に収容された第２コア構成体４１Ｂは、その前端面における外周縁をケース側ストッパ５６に当接させることにより、第１コア構成体４１Ａと同じく前方への相対移動を規制される。
【００４３】
また、第２コア構成体４１Ｂがケース５０に取り付けられると、弾性押圧片５３が、第２コア構成体４１Ｂの外周面に対し、左方（第１コア構成体４１Ａ側）へ弾性的に当接する。この弾性押圧片５３の弾性押圧作用により、両コア構成体４１Ａ，４１Ｂが受け部５１と弾性押圧片５３との間で左右方向（両コア構成体４１Ａ，４１Ｂを合体させる方向と平行な方向）に挟み付けられ、両コア構成体４１Ａ，４１Ｂの周方向における対向面４２Ａ，４２Ｂ同士が密着する。以上により、コア構成体４１Ａ，４１Ｂが合体してフェライトコア４０が構成されると同時に、ケース５０に対するフェライトコア４０の取付け（ノイズフィルタＦｂの組付け）が完了し、併せて、導電路７０へのケース５０及びフェライトコア４０の仮組み作業も完了する。
【００４４】
この後、ケース５０に対し、その後方からホルダ６０をスライドさせるようにして組み付ける。組付けに際しては、高剛性部６１を上下両弾性押圧片５３の外周面に摺接させるとともに、上下両低剛性部６２を左方へ弾性的に拡径変形させて受け部５１の外周面に摺接させる。この状態では、ホルダ６０の左周面開口部６３内にケース５０の回転抑制部５２が進入するので、ケース５０とホルダ６０の周方向への相対回転が規制される。
【００４５】
ケース５０とホルダ６０をスライドさせ、ホルダ側ストッパ６４の前面がケース５０の後端面に当接すると、ケース５０とホルダ６０の組付けが完了する。これと同時、ノイズフィルタＦｂの組付けが完了する。ケース５０内のフェライトコア４０は、ケース側ストッパ５６とホルダ側ストッパ６４との間で前後方向に挟まれるので、前後方向（軸線方向）への移動を規制された状態でケース５０内に保持される。
【００４６】
そして、低剛性部６２が、受け部５１の外周面に対し右方へ弾性的に当接する。この低剛性部６２の弾性押圧作用により、受け部５１と弾性押圧片５３が、高剛性部６１と低剛性部６２との間で左右方向に挟み付けられ、ひいては、両コネクタも左右方向（両コア構成体４１Ａ，４１Ｂを合体させる方向と平行な方向）に挟み付けられる。これにより、両コア構成体４１Ａ，４１Ｂの周方向における対向面４２Ａ，４２Ｂ同士が、より確実に密着する。
【００４７】
組付けが完了した後は、粘着性を有するテープ７１をホルダ６０の外周とケース５０の回転抑制部５２の外周に巻き付けることにより、弾性押圧片５３の拡径変形と低剛性部６２の拡径変形を防止する。また、図示は省略するが、ノイズフィルタＦｂの前後両端部から導電路７０に亘ってテープを巻き付ける。以上により、導電路７０に対するフェライトコア４０の取付け作業が完了する。
【００４８】
本実施例２のノイズフィルタＦｂは、周方向に分割された第１及び第２のコア構成体４１Ｂを合体して構成される筒形のフェライトコア４０と、フェライトコア４０を合体状態に保持する手段を備えた合成樹脂製のケース５０とを備えたものであり、ケース５０を安価に製造することを課題としている。そして、その課題解決手段として、ケース５０は、第１コア構成体４１Ａの外周面を当接させる受け部５１と、受け部５１の周方向における端縁部から片持ち状に延出し、第２コア構成体４１Ｂの外周を受け部５１側へ弾性的に押圧する弾性押圧片５３とを備えている。
【００４９】
弾性押圧片５３は、第１コア構成体４１Ａと第２コア構成体４１Ｂを合体状態に保持する手段として機能するのであるが、この弾性押圧片５３は、受け部５１の周方向における端縁部から片持ち状に延出した形態である。したがって、ケース５０には、部分的に除去した形態のスリットを形成する必要がなく、ケース５０を成形するための金型（図示省略）の構造を簡素化して、ケース５０の製造コスト低減を実現することができる。
【００５０】
また、本実施例２のノイズフィルタＦｂは、ケース５０のうち周方向における一部の領域に外嵌されるホルダ６０を有してする。このホルダ６０は、弾性押圧片５３の外周に当接可能な高剛性部６１と、高剛性部６１の周方向における端縁部から片持ち状に延出し、受け部５１の外周に対し弾性的に当接する低剛性部６２とを備えて構成されている。したがって、弾性押圧片５３が径方向外方へ拡開変形することは、低剛性部６２に蓄勢される径方向内向きの弾性復元力により、確実に規制できるので、第１コア構成体４１Ａと第２コア構成体４１Ｂを確実に密着状態に保持することができる。
【００５１】
さらに、ケース５０（受け部５１と弾性押圧片５３）の前端部には、ケース５０に収容された第１コア構成体４１Ａと第２コア構成体４１Ｂの両方が軸線方向前方へ位置ずれすることを規制可能なケース側ストッパ５６が形成されている。ケース５０の後端部には、その全領域に亘って後面開口部５８が開口している。したがって、ケース５０にコア構成体４１Ａ，４１Ｂを収容する作業を容易に行うことができる。しかも、ケース５０は、前後方向に型開きされる金型だけで成形することができ、スライド型が不要である。
【００５２】
一方、ホルダ６０（高剛性部６１と低剛性部６２）の後端部には、ケース５０に収容された第１コア構成体４１Ａと第２コア構成体４１Ｂの両方が軸線方向後方（ケース側ストッパ５６とは反対側）へ位置ずれすることを規制可能なホルダ側ストッパ６４が形成されている。ホルダ６０の前端部には、その全領域に亘って前面開口部６６が開口している。したがって、ホルダ６０も、ケース５０と同様、前後方向に型開きされる金型だけで成形することができ、スライド型が不要である。そして、ケース５０とホルダ６０を組み付けた状態では、ケース５０内のフェライトコア４０を、ケース側ストッパ５６とホルダ側ストッパ６４との間で挟むことにより収容状態に保持することができる。
【００５３】
＜他の実施例＞
本発明は上記記述及び図面によって説明した実施例に限定されるものではなく、例えば次のような実施例も本発明の技術的範囲に含まれる。
（１）上記実施例１では、受け部にストッパを形成したが、受け部にストッパを形成しない形態としてもよい。
（２）上記実施例１では、弾性押圧片に規制部を形成したが、弾性押圧片に規制部を形成しない形態としてもよい。
（３）上記実施例１のケースに、実施例２と同様に高剛性部と低剛性部を備えたホルダを外嵌してもよい。この場合、ホルダのホルダ側ストッパをそのまま残し、実施例１のケースに形成した一対のストッパ及び規制部のうち、軸線方向においてホルダ側ストッパと同じ側のストッパと規制部を除去してもよい。あるいは、一対のストッパ及び規制部をそのまま残し、ホルダからホルダ側ストッパを除去してもよい。
（４）上記実施例２では、第１コア構成体と第２コア構成体が軸線方向に移動することを規制する手段として、ケースにケース側ストッパを形成し、ホルダにホルダ側ストッパを形成したが、ケースのみに一対のストッパを形成してもよく、ホルダのみに一対のストッパを形成してもよい。
（５）上記実施例１，２では、受け部の周方向における両端縁部から一対の弾性押圧片を延出させたが、弾性押圧片は、受け部の周方向におけるいずれか一方の端縁部のみから延出する形態であってもよい。
（６）上記実施例１，２では、フェライトコアとケースを略円筒形としたが、フェライトコアとケースは角筒形であってもよい。
【符号の説明】
【００５４】
Ｆａ…ノイズフィルタ
１０…フェライトコア
１１Ａ…第１コア構成体
１１Ｂ…第２コア構成体
２０…ケース
２１…受け部
２２…弾性押圧片
２５…ストッパ
２８…規制部
Ｆｂ…ノイズフィルタ
４０…フェライトコア
４１Ａ…第１コア構成体
４１Ｂ…第２コア構成体
５０…ケース
５１…受け部
５３…弾性押圧片
５６…ケース側ストッパ
６０…ホルダ
６１…高剛性部
６２…低剛性部
６４…ホルダ側ストッパ
【図１】
2015220355.tif 000003
【図２】
2015220355.tif 000004
【図３】
2015220355.tif 000005
【図４】
2015220355.tif 000006
【図５】
2015220355.tif 000007
【図６】
2015220355.tif 000008
【図７】
2015220355.tif 000009
【図８】
2015220355.tif 000010
【図９】
2015220355.tif 000011